(57)【要約】【課題】  電気機器に簡単に取り付けたり抜き取ることができるとともに、電気機器に常に取り付けて誤って抜けることを防止することができる操作つまみ、当該操作つまみを備えた電気機器及び検出センサを提供することを目的とする。【解決手段】  電気機器の被操作部１５に先端部を連結して回転させることで被操作部１５の操作を行うための操作つまみ５０であって、先端部に設けられて被操作部１５に連結された状態で被操作部１５に係止可能な弾性突起６０と、弾性突起６０が被操作部１５との係止を解除する方向に変形することを許容する非ロック状態と弾性突起６０が被操作部１５との係止を解除する方向に変形することを規制するロック状態とに変化するロック部材８０と、ロック部材８０を案内して前記非ロック状態から前記ロック状態に変化させるロック部材ガイド部９０とを備える。【選択図】  図８
2006338969.tif 000002
【特許請求の範囲】
【請求項１】
電気機器の被操作部に先端部を連結して回転させることで前記被操作部の操作を行うための操作つまみであって、
前記先端部に設けられて前記被操作部に連結された状態で当該被操作部に係止可能な弾性突起と、
前記弾性突起が前記被操作部との係止を解除する方向に変形することを許容する非ロック状態と前記弾性突起が前記被操作部との係止を解除する方向に変形することを規制するロック状態とに変化するロック部材と、
前記ロック部材を案内して前記非ロック状態から前記ロック状態に変化させるロック部材ガイド部と
を備えたことを特徴とする操作つまみ。
【請求項２】
前記ロック部材を前記ロック部材ガイド部によって前記弾性突起側にスライドさせることにより、前記ロック部材を前記弾性突起が前記被操作部との係合を解除する方向において当該弾性突起と当接させて前記ロック状態にすることを特徴とする請求項１に記載の操作つまみ。
【請求項３】
前記非ロック状態のときは前記ロック部材が前記ロック部材ガイド部から突出しないことを特徴とする請求項１又は２に記載の操作つまみ。
【請求項４】
請求項１ないし３のいずれかに記載の操作つまみと、当該操作つまみの弾性突起が連結される被操作部とを備えた電気機器であって、
前記被操作部を前記電気機器の表面から突出しないように配置したことを特徴とする電気機器。
【請求項５】
前記電気機器は、所定の条件によって被検出物を検出する検出手段と、前記所定の条件を設定する設定手段とを備える検出センサであって、
前記設定手段が、前記操作つまみと前記被操作部とによって構成されることを特徴とする請求項４に記載の検出センサ。
【発明の詳細な説明】
【技術分野】
【０００１】
本発明は、操作つまみ、電気機器及び検出センサに関する。
【背景技術】
【０００２】
例えば、電気機器のパネルに固定された可変抵抗器に接続されて該可変抵抗器を回転操作する操作つまみの取付構造が知られている。この取付構造においては、操作つまみは、可変抵抗器の回転軸に嵌合され、当該操作つまみの突起を、パネルに設けられたヒンジ部をたわませて押し込み、復元したヒンジ部の裏面に係止させてパネルに取り付けられる。
【０００３】
また、この取付構造においては、操作つまみの突起を通過させることができる溝部をパネルに設けており、操作つまみは、突起を溝部と一致するように回転させることにより、当該突起を溝部を通過させてパネルから抜き取ることができる。
【特許文献１】特開平５−２４０９７２号公報
【発明の開示】
【発明が解決しようとする課題】
【０００４】
ところで、操作つまみは、使用する頻度が低い場合には、可変抵抗器を操作する必要があるときのみ電気機器のパネルに簡単に取り付け、簡単に抜き取ることができるようにすることが望ましい。一方、操作つまみは、使用する頻度が高い場合には、パネルに常に取り付けて簡単に抜き取ることができないようにすることが望ましい。
【０００５】
しかしながら、上記の操作つまみは、突起をヒンジ部をたわませてパネルに押し込まなければならないこと、当該突起を溝部と一致させるために回転させなければならないことから、簡単に取り付けたり抜き取ったりすることができるものであるとは言い難かった。
【０００６】
さらに、この操作つまみは、回転させて突起が溝部と一致したときに、誤ってパネルから抜けてしまうおそれもあった。
【０００７】
本発明は、このような状況に鑑み提案されたものであって、電気機器に簡単に取り付けたり抜き取ることができるとともに、電気機器に常に取り付けて誤って抜けることを防止することができる操作つまみ、当該操作つまみを備えた電気機器及び検出センサを提供することを目的とする。
【課題を解決するための手段】
【０００８】
請求項１の発明は、電気機器の被操作部に先端部を連結して回転させることで前記被操作部の操作を行うための操作つまみであって、前記先端部に設けられて前記被操作部に連結された状態で当該被操作部に係止可能な弾性突起と、前記弾性突起が前記被操作部との係止を解除する方向に変形することを許容する非ロック状態と前記弾性突起が前記被操作部との係止を解除する方向に変形することを規制するロック状態とに変化するロック部材と、前記ロック部材を案内して前記非ロック状態から前記ロック状態に変化させるロック部材ガイド部とを備えたことを特徴とする。
【０００９】
請求項２の発明は、請求項１に記載の操作つまみにおいて、前記ロック部材を前記ロック部材ガイド部によって前記弾性突起側にスライドさせることにより、前記ロック部材を前記弾性突起が前記被操作部との係合を解除する方向において当該弾性突起と当接させて前記ロック状態にすることを特徴とする。
【００１０】
請求項３の発明は、請求項１又は２に記載の操作つまみにおいて、前記非ロック状態のときは前記ロック部材が前記ロック部材ガイド部から突出しないことを特徴とする。
【００１１】
請求項４の発明に係る電気機器は、請求項１ないし３のいずれかに記載の操作つまみと、当該操作つまみの弾性突起が連結される被操作部とを備えたものであって、前記被操作部を前記電気機器の表面から突出しないように配置したことを特徴とする。
【００１２】
請求項５の発明に係る検出センサは、請求項４において、前記電気機器が、所定の条件によって被検出物を検出する検出手段と、前記所定の条件を設定する設定手段とを備えるものであって、前記設定手段が、前記操作つまみと前記被操作部とによって構成されることを特徴とする。
【発明の効果】
【００１３】
＜請求項１の発明＞
本発明によれば、ロック部材が非ロック状態のときは、弾性突起を被操作部に着脱させることによって、操作つまみを電気機器に簡単に取り付けたり抜き取ることができる。また、本発明によれば、ロック部材がロック状態のときは、弾性突起が被操作部から抜けることを防ぐことができ、操作つまみを、電気機器に常に取り付けて誤って抜けることを防止することができる。
【００１４】
＜請求項２の発明＞
本発明によれば、ロック状態にすることにより、弾性突起が被操作部と係合を解除する方向に変形することがなく、操作つまみが、電気機器に常に取り付けられて誤って抜けることを防止することができる。
【００１５】
＜請求項３の発明＞
本発明によれば、非ロック状態のときはロック部材がロック部材ガイド部から突出することがなく、ロック部材が操作つまみを回転させるときに誤って操作されてロック状態となることを防止することができる。
【００１６】
＜請求項４及び請求項５の発明＞
本発明によれば、被操作部を電気機器（検出センサ）の表面から突出しないように配置したことから、被操作部に触れて電気機器（検出センサ）が誤って操作されることを防止することができる。
【発明を実施するための最良の形態】
【００１７】
＜実施形態１＞
本発明の実施形態１を図１ないし図８を参照しつつ説明する。
１．検出センサの構成
本実施形態のファイバセンサ１（検出センサ）は、受光量に応じた検出信号の大きさ（レベル）を閾値と比較することにより、被検出物Ｗの有無を検出するものである。このファイバセンサ１は、直方体に形成された本体ケース１０を備え、ＣＰＵ３０等が当該ケース１０内に設けられている。なお、図示しないが、投光用及び受光用の光ファイバの差込孔が本体ケース１０の前面に形成され、電線が本体ケース１０の裏面から引き出されている。
【００１８】
図１に示すように、本体ケース１０の上面１０Ａには、Ｌ／Ｄスイッチ１１、モード切替スイッチ１２、回転操作子１５（被操作部に相当する。）、デジタル表示器２０が設けられている。
【００１９】
Ｌ／Ｄスイッチ１１は、左右にスライド可能となるように設けられており、一方にスライドさせると、閾値よりも大きい受光量が検出されたときに被検出物Ｗを検出したと判定するように設定する。これに対し、Ｌ／Ｄスイッチ１１は、他方にスライドさせると、閾値よりも小さい受光量が検出されたときに被検出物Ｗを検出したと判定するように設定する。なお、本実施形態では、Ｌ／Ｄスイッチ１１は、閾値よりも大きい受光量が検出されたときに被検出物Ｗを検出したと判定するように設定している。
【００２０】
モード切替スイッチ１２は、検出モードと、第一設定モードと、第二設定モードとに切換可能となっており、初期状態のときは検出モードに設定されている。このモード切替スイッチ１２は、検出モードに設定された状態から、所定時間だけ押し込む操作をする毎に切換信号をＣＰＵ３０に送信する。ＣＰＵ３０は、この切換信号を受信し、第一設定モード、第二設定モード、検出モードの順に設定するように制御する。なお、第一設定モード、第二設定モードに設定されているときは、モード切替スイッチ１２が所定時間以上押されなかったときに、自動的に検出モードに戻される。このため、通常は検出モードに設定されている。
【００２１】
検出モードは、被検出物Ｗの検出動作が可能となるモードである。デジタル表示器２０は、検出モードのときに、検出信号の大きさ（レベル）を比較するための基準値（閾値）を表示する。この閾値（所定の条件）は回転操作子１５を操作つまみ５０によって回転させることにより変更され、検出感度が調整される。なお、回転操作子１５及び操作つまみ５０は、本発明の設定手段に相当する。
【００２２】
第一設定モードは、被検出物Ｗの検出動作を行わないとき（例えば製品の出荷前）に選択されるモードである。デジタル表示器２０は、第一設定モードのときに、ＣＰＵ３０の出力信号のタイミング，出力時間等を表示する。この出力信号のタイミングや出力時間等は、回転操作子１５を操作つまみ５０によって回転させることにより変更される。例えば、図４に図示するように、回転操作子１５を回転させることにより、ＣＰＵ３０の出力信号（パルス信号）のパルス幅を所定時間Ｔだけ延長する（オンディレイ）。これにより、通常の出力時間では被検出物Ｗを検出できない場合であっても、出力時間を検出可能な時間（パルス幅）に延長し、当該被検出物Ｗを検出することができる。
【００２３】
第二設定モードは、第一設定モードと同様に、被検出物Ｗの検出動作を行わないとき（例えば製品の出荷前）に選択されるモードである。デジタル表示器２０は、第二設定モードのときに、投光素子の投光周期を表示する。この投光周期は、回転操作子１５を操作つまみ５０によって回転させることにより変更される。例えば、投光周期は、回転操作子１５を操作つまみ５０によって回転させることにより、予め記憶された３種類の周期から選択されて変更される。
【００２４】
回転操作子１５は、図３に図示するように、上端１５Ａが本体ケース１０の上面１０Ａから突出して設けられており、時計周り及び反時計周りに回転する。この回転操作子１５は、図示するように、凹部１６を有する。
【００２５】
この回転操作子１５は、図示しない回転軸が下方（本体ケース１０の内部）に延出されている。この回転軸は、図３から理解できるように、ロータリーエンコーダ１７（以下エンコーダ１７という。）と接続されている。エンコーダ１７は、回転操作子１５を操作つまみ５０によって回転させることにより、位相の異なる２種類のパルス信号をＣＰＵ３０に出力する。ＣＰＵ３０は、受信したパルス信号のトリガの数から回転操作子１５の回転速度（操作速度）を検出し、検出した回転速度に応じた変化量で閾値（検出感度）等を変更する。
【００２６】
デジタル表示器２０は、図１に図示するように、本体ケース１０の上面１０Ａに設けられており、第一表示部２１と第二表示部２２とを有する。第一及び第二表示部２１，２２は、４桁の７セグメントＬＥＤによって構成される。
【００２７】
第一表示部２１は、各モードにおける設定値（検出モードでは閾値、第一設定モードではＣＰＵ３０の出力信号の出力時間の延長時間Ｔ[ｓ]、第二設定モードでは投光素子の投光周期[ｓ]）を表示する。
【００２８】
第二表示部２２は、検出モードのときは、光の受光量の大きさ（レベル）を表示し、第一設定モード及び第二設定モードのときは、当該モードであること識別する文字を表示する。例えば、第一設定モードのときは「ＤＥＬＹ」の文字、第二設定モードのときは「ＳＰＥＤ」の文字を、それぞれ第二表示部２２に表示する。
【００２９】
第一表示部２１は、表示する文字の色が第二表示部２２とは異なる。例えば、第一表示部２１は緑色の文字、第二表示部２２は赤色の文字をそれぞれ表示する。これにより、作業者は、第一設定モード又は第二設定モードに設定されていることを容易に識別することができる。
【００３０】
さらに、動作表示灯３４，安定動作表示灯３５が、本体ケース１０の左端部（図１のデジタル表示器２０の左方）に設けられている。動作表示灯３４は、被検出物Ｗを検出したときに点灯し、被検出物Ｗを検出しないときは点灯しない。作業者等は、動作表示灯３４が点灯することにより、被検出物Ｗが検出されたか否かを目視して確認することができる。
【００３１】
安定動作表示灯３５は、被検出物Ｗが安定して検出されたときに点灯する。メモリ（図示せず。）は、閾値を被検出物Ｗの検出が安定した精度で行うことができる安定レベルにシフトさせるシフトレベルを記憶している。安定動作表示灯３５は、受光回路３２（図２参照。）から出力される検出信号の大きさ（レベル）が安定レベルよりも大きいときに、ＣＰＵ３０が被検出物Ｗを高い精度で検出していると判断して点灯する。作業者等は、安定動作表示灯３５の点灯により、被検出物Ｗが安定して検出されているか否かを目視して確認することができる。
【００３２】
２．検出センサの電気的構成
ファイバセンサ１のブロック図を図２に示す。図示するように、Ｌ／Ｄスイッチ１１及びモード切替スイッチ１２が、ＣＰＵ３０に接続されている。ＣＰＵ３０は、モード切替スイッチ１２から切換信号を受信する毎に、前記検出モード、前記第一設定モード、前記第二設定モードの順に設定するように制御する。
【００３３】
エンコーダ１７は、図示するように、ＣＰＵ３０に接続されている。ＣＰＵ３０は、回転操作子１５を回転させると、エンコーダ１７からパルス信号を受信し、このパルス信号の立ち上がり及び立下りをトリガ信号として、トリガ信号の数とトリガ間隔を求める。
【００３４】
ＣＰＵ３０は、求めたトリガ間隔をメモリに記憶された所定時間と比較する。ＣＰＵ３０は、トリガ間隔が所定時間よりも短いときは、トリガを検出する毎に、設定されたモード（検出モード等）における設定値を１だけ変更する。
【００３５】
一方、ＣＰＵ３０は、トリガ間隔が前記所定時間よりも長いときは、例えば、トリガを４回検出する（４倍の回転角度）毎に、設定されたモードにおける設定値を１だけ変更する。
【００３６】
デジタル表示器２０はＣＰＵ３０に接続されている。ＣＰＵ３０は、設定値を変更すると、変更された設定値を第一表示部２１に表示するように制御する。
【００３７】
さらに、投光回路３１及び受光回路３２がＣＰＵ３０に接続されている。ＣＰＵ３０は、投光回路３１の投光素子を、所定の周期で被検出物Ｗに投光させるように制御する。このＣＰＵ３０は、被検出物Ｗに反射して受光回路３２の受光素子によって受光された光量の大きさ（レベル）に応じた検出信号（パルス信号）を、受光回路３２から受信する。なお、ＣＰＵ３０，投光回路３１，受光回路３２は、本発明の検出手段に相当する。
【００３８】
ＣＰＵ３０は、検出信号を受光回路３２から受信すると、当該検出信号の大きさ（レベル）を前記第二表示部２２に表示するように制御するとともに、検出信号のパルス幅（出力時間）を所定時間Ｔだけ延長し、前記検出信号の大きさと設定された閾値とを比較する。そして、ＣＰＵ３０は、検出信号の大きさが閾値を超過したと判断すると、閾値超過報知信号を出力回路３３に送信するとともに動作表示灯３４が点灯するように制御する。
【００３９】
このＣＰＵ３０は、所定時間Ｔだけ延長したときの検出信号の大きさ（レベル）と前記安定レベルとを比較し、当該検出信号の大きさが当該安定レベルを超過していると判断するときは、安定動作表示灯３５を点灯させるように制御する。
【００４０】
３．操作つまみの構成
操作つまみ５０は、回転操作子１５を回転させ、閾値（検出モード）、ＣＰＵ３０の出力信号のパルス幅（第一設定モード）、投光素子の投光周期（第二設定モード）を変更するために用いられる。この操作つまみ５０は、回転操作子１５と連結される一端側の外径が拡径された円筒体を有する。この拡径された部分は抑止部６５、外径が当該抑止部６５の外径よりも小さい部分が把持部７０をそれぞれ構成する。抑止部６５には、二つの突起部６０が、回転操作子１５との連結側に向けて円筒体の中心軸を挟んで平行に対向するように突設されている。そして、この操作つまみ５０は、ロック部材８０を前記円筒体に収容している。
【００４１】
各突起部６０は、図６に図示するように、抑止部６５と一体に形成されている。各突起部６０は、操作つまみ５０の中心軸を挟んで対向する面（内面）が、当該中心軸と平行に形成されている。各突起部６０は、内面とは異なる外面が、回転操作子１５との連結側とは反対側の非連結側から当該連結側に向けて傾斜するように形成され、当該非連結側がくびれている。各突起部６０は、回転操作子１５との連結側とは反対側の非連結側から当該連結側に向けて傾斜するテーパ面とされた第一頭部６１と、当該テーパ面から突設された第二頭部６２とを有するように形成されている。各突起部６０は、弾性部材（例えば合成樹脂）によって構成される。
【００４２】
抑止部６５は、図示するように、外径が、回転操作子１５の外径よりも大きく形成され、円筒状の弾性部材（例えば合成樹脂）によって構成される。この抑止部６５は、突起部６０の先端が、回転操作子１５の凹部１６（図３参照。）の底面に到達したときに、回転操作子１５の上端１５Ａに当接するように形成されている。
【００４３】
また、図５に図示するように、ロック部材誘導部６６が、回転操作子１５との連結側に向けて抑止部６５から二つ突設されている。このロック部材誘導部６６は、操作つまみ５０の中心軸を回転軸として二つの突起部６０をそれぞれ９０度回転させた位置に、当該中心軸を挟んで対向するように形成されている。二つのロック部材誘導部６６は、それぞれ弾性部材（例えば合成樹脂）によって構成され、ロック部材８０を、操作つまみ５０の中心軸を挟んで対応する面６７によって、回転操作子１５との連結側へスライドさせる。符号６８は爪部である。
【００４４】
把持部７０は、円筒状の弾性部材（例えば合成樹脂）によって構成される。この把持部７０は、作業者等が持って時計方向又は反時計方向に回すことにより、操作つまみ５０を時計方向又は反時計方向に回転させるものである。図中の符号７２は窓部である。
【００４５】
ロック部材８０は、抑止部６５，把持部７０等と同様に、弾性部材（例えば合成樹脂）によって構成される。ロック部材８０は、突起部６０よりも硬質の合成樹脂によって構成される。このロック部材８０は、図示するように、前記非連結側が拡径された膨出部８１を有する棒状部材である。膨出部８１には、第一突部８２と第二突部８３がそれぞれ二つずつ形成されている。第一突部８２は、膨出部８１の中心軸に対して対称な位置であって前記非連結側に形成され、第二突部８３は、膨出部８１の中心軸に対して対称な位置であって前記連結側に形成されている。また、第二突部８３には、接着材によって、合成樹脂性のストッパ部材８４が固着されている。
【００４６】
ロック部材ガイド部９０は、二つの突起部６０と二つのロック部材誘導部６６とによって囲まれた空間及び抑止部６５と把持部７０とを連通する連通孔によって構成される。このロック部材ガイド部９０は、ロック部材８０を収容して前記連結側（突起部６０側）に案内（スライド）させる。このロック部材ガイド部９０は、ロック部材８０の第一突部８２を係止する第一段部９１と、ストッパ部材８４の進行を停止させる第二段部９２とを有する。なお、図８に図示するように、ロック部材ガイド部９０の内径Ｌ１は、各第二突部８３の最大突出部同士を結ぶ寸法Ｌ２より小さい。
【００４７】
４．操作つまみの着脱方法
次に、操作つまみ５０をファイバセンサ１に着脱する方法について説明する。突起部６０を、回転操作子１５の凹部１６に挿入する。この突起部６０を、先端が凹部１６の底面に到達するまで連結側に押し下げる。このとき、突起部６０は、弾性部材（例えば合成樹脂）によって構成されていることから、変形して凹部１６に圧入される。
【００４８】
回転操作子１５は、弾性部材（例えば合成樹脂）によって構成され側面１５Ｂ（図３参照。）が本体ケース１０の凹部１９に押さえられていることから、凹部１６の側壁１６Ａが、突起部６０が圧入されるときに変形し、当該突起部６０の先端が凹部１６の底面に到達すると復元して突起部６０と密着する。操作つまみ５０は、図６に図示するように、突起部６０（第一頭部６１，第二頭部６２）が凹部１６の側壁１６Ａと密着するとともに、抑止部６５が上端１５Ａと当接し、回転操作子１５に連結される。
【００４９】
ロック部材８０は、図６及び図８に図示するように、非ロック状態とロック状態とに変化する。図６は非ロック状態、図８はロック状態をそれぞれ示す。
【００５０】
ロック部材８０は、非ロック状態のときは、膨出部８１の第一突部８２が、ロック部材ガイド部９０の第一段部９１によって、連結側へ移動することが規制される。このとき、第二突部８３の非連結側の面が、窓部７２の内面７３と当接する。このロック部材８０は、非ロック状態のときは、図６に図示するように、膨出部８１がロック部材ガイド部９０に収容されて把持部７０から突出することがない。
【００５１】
ロック部材８０は、非ロック状態のときは、図示するように、膨出部８１側とは反対側の連結側の先端が、抑止部６５のロック部材ガイド部９０に収容されている。このロック部材８０は、前記第一段部９１によって膨出部８１が連結側へ移動することが規制されるため、突起部６０の近傍のロック部材ガイド部９０に進出することがない。突起部６０は、ロック部材８０の連結側が突起部６０のロック部材ガイド部９０に位置しないため、当該ロック部材８０の連結側によって、外方及び内方に変形することが妨げられることがない。このため、突起部６０（第一頭部６１，第二頭部６２）は、側壁１６Ａとの密着状態を解除する方向に変形させることができる。操作つまみ５０は、作業者等が把持部７０を持って非連結側へ引くことにより、突起部６０（第一頭部６１，第二頭部６２）と側壁１６Ａを変形させて密着状態を解除し、回転操作子１５から抜き取られる。
【００５２】
一方、ロック部材８０は、ロック状態のときは、図８に図示するように、作業者等が膨出部８１を連結側へ押すことにより、第一突部８２が変形して第一段部９１を通過する。その後、ロック部材８０は、ロック部材ガイド部９０及びロック部材誘導部６６の一面６７に沿って、ストッパ部材８４がロック部材ガイド部９０の第二段部９２に当接するまでスライドさせることができる。
【００５３】
ロック部材８０は、ストッパ部材８４が第二段部９２に当接することによりスライドすることが規制され、連結側が突起部６０の近傍のロック部材ガイド部９０に位置する。このとき、ロック部材８０の連結側は、突起部６０の内面（突起部６０と側壁１６Ａとの密着を解除する方向）に当接する。突起部６０（第一頭部６１）は、ロック部材８０の連結側によって外方に押されて側壁１６Ａに押し当てられる。これにより、突起部６０と側壁１６Ａとの密着状態を解除する方向に変形させることが規制され、突起部６０（第一頭部６１，第二頭部６２）を外方及び内方に変形させることができなくなる。操作つまみ５０は、作業者等が把持部７０を持って非連結側へ引くことがあっても、突起部６０と側壁１６Ａを変形させて密着状態を解除することができず、回転操作子１５から抜き取ることができない。
【００５４】
５．実施形態１の効果
（１）操作つまみ５０は、ロック部材８０が前記非ロック状態のときは、当該ロック部材８０の連結側が、突起部６０の近傍のロック部材ガイド部９０に位置せず、突起部６０の内面と当接することがなく、合成樹脂性の突起部６０（第一頭部６１，第二頭部６２）を、当該ロック部材８０の連結側によって外方及び内方に変形させることが妨げられず、凹部の側壁１６Ａとの密着状態を保つ方向又は解除する方向に変形させることができる。これによって、操作つまみ５０は、突起部６０を回転操作子１５に着脱させて、ファイバセンサ１に簡単に取り付けたり抜き取られる。
（２）一方、操作つまみ５０は、ロック部材８０が前記ロック状態のときは、当該ロック部材８０の連結側が、突起部６０の近傍のロック部材ガイド部９０に位置して突起部６０の内面と当接し、合成樹脂性の突起部６０（第一頭部６１）を、当該ロック部材８０の連結側によって外方に押して凹部の側壁１６Ａに押し当て、側壁１６Ａとの密着状態を解除する方向に変形させることを規制する。これによって、操作つまみ５０は、突起部６０（第一頭部６１，第二頭部６２）が回転操作子１５から抜けることを防ぎ、ファイバセンサ１に常に取り付けることができる。
【００５５】
（３）操作つまみ５０は、ロック部材８０を、ロック部材ガイド部９０及びロック部材誘導部６６の一面６７に沿って、ストッパ部材８４がロック部材ガイド部９０の第二段部９２に当接するまでスライドさせ、前記ロック部材８０の連結側を、突起部６０の近傍のロック部材ガイド部９０に位置させ、突起部６０の内面と当接させることができる。この操作つまみ５０は、突起部６０（第一頭部６１）が、ロック部材８０の連結側によって外方に押されて側壁１６Ａに押し当てられ、側壁１６Ａとの密着状態を解除する方向に変形することを規制する。これによって、ロック部材８０を操作つまみ５０に収容して移動（スライド）させることができ、操作つまみ５０は、ロック部材８０によって操作を妨げられることなく、ファイバセンサ１に常に取り付けられて誤って抜けることが防止される。
（４）この操作つまみ５０は、前記非ロック状態のときは、ロック部材８０の膨出部８１がロック部材ガイド部９０に収容されて把持部７０から突出することがない。膨出部８１は、非ロック状態のときは、把持部７０から突出することがなく、膨出部８１が操作つまみ５０を回転させるときに誤って操作されることがない。このため、操作つまみ５０が誤ってロック状態となることを防止することができる。
【００５６】
＜実施形態２＞
本発明の実施形態２を図９を参照しつつ説明する。ここでは、実施形態１と同一の装置等は同一の符号を付しその説明を省略する。
１．検出センサの構成
図９は、本実施形態のファイバセンサ２の部分断面図である。このファイバセンサ２は、実施形態１のファイバセンサ１と同様に、回転操作子２５が設けられている。この回転操作子２５は、実施形態１と同様に、操作つまみ５０が連結され、時計周り又は反時計周りに回転する。この実施形態では、回転操作子２５は、上端２６Ａが本体ケース１０の上面１０Ａから突出しないようにして設けられている。閾値（検出感度）、ＣＰＵ３０の出力信号のタイミング，出力時間等、投光素子の投光周期は、この回転操作子２５を回転させることによって、変更される。なお、図中の符号２６は、回転操作子２５の凹部である。
【００５７】
２．実施形態２の効果
実施形態２のファイバセンサ２は、回転操作子２５の上端２６Ａが、本体ケース１０の上面１０Ａから突出しないようにして設けられている。これによって、このファイバセンサ２は、回転操作子２５が、操作つまみ５０を連結しなければ回転することがなく、作業者等によって本体ケース１０の上面１０Ａから触れられることがないため、誤って操作されることを防止することができる。
【００５８】
＜他の実施形態＞
本発明は、上述した実施形態に限定されるものではなく、発明の趣旨を逸脱しない範囲内において構成の一部を適宜変更して実施することができる。
（１）例えば、図１０に示すように、操作つまみ５０Ａは、回転操作子２７に係止される突起部６０Ａを備えた固定部６５Ａと、当該固定部６５Ａを収容する収容部９０Ａを有し前記固定部６５Ａの外面に沿って移動して把持部７０Ａとロック部材８０Ａとを一体に形成した移動部９５とを備えるものであってもよい。この操作つまみ５０Ａは、同図（ａ）に示す非ロック状態のときは、回転操作子２７を、突起部６０Ａを係止し、把持部７０Ａを持って時計周り又は反時計周りに回すことにより、回転させることができる。
（２）また、この操作つまみ５０Ａは、図１０（ｂ）に示すロック状態のときは、移動部９５を固定部６５Ａの外面に沿って移動（スライド）させて本体ケース１０の上面１０Ａに当接させると、突起部６０Ａが外方へ移動することが妨げられ、ファイバセンサの本体ケース１０に取り付けられる。この操作つまみ５０Ａは、突起部６０Ａが回転操作子２７から外れることを防ぎ、回転させることができる。
（３）操作つまみ５０は、ロック部材８０が、ロック部材ガイド部９０の開放端９４（図６参照。）から露出する膨出部８１の非連結側の面８４（図６参照。）の面積を極小（例えば３．１４ｍｍ２）としたものであってもよい。これによって、治具等を用いなければ非連結側の面８４を操作することができず、操作つまみ５０が誤って操作されてロック状態となることを防止することができる。
【図面の簡単な説明】
【００５９】
【図１】本発明の実施形態１に係るファイバセンサの上面図
【図２】ファィバセンサの電気的な構成を示すブロック図
【図３】ファィバセンサの部分断面図
【図４】ＣＰＵの出力信号のパルス幅を延長した状態の説明図
【図５】非ロック状態のときの操作つまみの斜視図
【図６】非ロック状態のときの操作つまみと回転操作子の連結状態図
【図７】ロック状態のときの操作つまみの斜視図
【図８】ロック状態のときの操作つまみと回転操作子の連結状態図
【図９】実施形態２に係るファィバセンサの部分断面図
【図１０】（ａ）図は他の実施形態に係る非ロック状態のときの操作つまみと回転操作子の連結状態図、（ｂ）図はロック状態のときの操作つまみと回転操作子の連結状態図
【符号の説明】
【００６０】
１，２…ファイバセンサ
１０Ａ…本体ケースの上面
１５，２５，２７…回転操作子（被操作部，設定手段）
３０…ＣＰＵ（検出手段）
３１…投光回路（検出手段）
３２…受光回路（検出手段）
５０，５０Ａ…操作つまみ（設定手段）
６０，６０Ａ…突起部（弾性突起）
８０…ロック部材
８１…ロック部材の膨出部
９０…ロック部材ガイド部
【図１】
2006338969.tif 000003
【図２】
2006338969.tif 000004
【図３】
2006338969.tif 000005
【図４】
2006338969.tif 000006
【図５】
2006338969.tif 000007
【図６】
2006338969.tif 000008
【図７】
2006338969.tif 000009
【図８】
2006338969.tif 000010
【図９】
2006338969.tif 000011
【図１０】
2006338969.tif 000012